(57)【特許請求の範囲】
【請求項１】
第１のノードが前記第１のノードと少なくとも第２のノードおよび第３のノードとを含むアドホックネットワークに参加するための方法であって、
前記第２のノードによって全方向にブロードキャストされ、前記第２のノードと前記第３のノードとの間で第１の偏波での第１の指向性リンクを介して通信する持続時間を示すネットワークアロケーションベクトルを含む第１のリンク情報を受信することと、
前記持続時間が経過するのを待ち、その後、前記第２のノードとの前記第１の偏波での第２の指向性リンクを確立することを試みることと、
を含む方法。
【請求項２】
前記第１のリンク情報は、前記第２のノードの第１のＩＤ、前記第３のノードの第２のＩＤ、および前記第１の偏波での通信のフリーもしくはビジーステータスを含む、請求項１に記載の方法。
【請求項３】
前記第１のリンク情報は、前記第２のノードが前記第３のノードと前記第１の偏波での前記第１の指向性リンクを介して通信しているかどうかを示しており、
前記方法は、
前記第２のノードが前記第３のノードと前記第１の偏波での前記第１の指向性リンクを介して通信していて、前記第１のノードが前記第２のノードと前記第２の偏波での前記第２の指向性リンクを介して通信することを望んでいるときに、前記第２のノードとの前記第２の偏波での前記第２の指向性リンクを確立することを含み、
前記第２の偏波は、前記第１の偏波に実質的に直交する、請求項２に記載の方法。
【請求項４】
前記第２のノードとの前記第２の偏波での前記第２の指向性リンクを確立してからデータを前記第２の偏波での前記第２の指向性リンクを介して前記第２のノードに送信するまでの間に、第２のリンク情報を全方向にブロードキャストすることであって、前記第２のリンク情報は前記第１のノードが前記第２のノードと前記第２の偏波での前記第２の指向性リンクを介して通信していることを示す、ことと、
前記第２のリンク情報を全方向にブロードキャストした後、前記データを前記第２の偏波での前記第２の指向性リンクを介して前記第２のノードに送信することと、をさらに含む請求項３に記載の方法。
【請求項５】
前記第２のノードが前記第３のノードと前記第１の偏波での前記第１の指向性リンクを介して通信しておらず、前記第１のノードが前記第２のノードと前記第１の偏波での前記第２の指向性リンクを介して通信することを望んでいるときに、前記第１のノードが、
前記第２のノードとの前記第１の偏波での前記第２の指向性リンクを確立することと、
前記第２のノードとの前記第１の偏波での前記第２の指向性リンクを確立してからデータを前記第１の偏波での前記第２の指向性リンクを介して前記第２のノードに送信するまでの間に、第２のリンク情報を全方向にブロードキャストすることであって、前記第２のリンク情報は前記第１のノードが前記第２のノードと前記第１の偏波での前記第２の指向性リンクを介して通信していることを示す、ことと、
前記第２のリンク情報を全方向にブロードキャストした後、前記データを前記第１の偏波での前記第２の指向性リンクを介して前記第２のノードに送信することと、をさらに含む請求項４に記載の方法。
【請求項６】
前記第２のノードが前記第３のノードと前記第１の偏波での前記第１の指向性リンクを介して通信していて、前記第１のノードが前記第２のノードと前記第１の偏波での前記第２の指向性リンクを介して通信することを望んでいるときに、
前記第２のノードによって全方向にブロードキャストされる更新された第１のリンク情報を受信するのを待つことと、
前記更新された第１のリンク情報が、前記第２のノードが前記第３のノードと前記第１の偏波での前記第１の指向性リンクを介して通信していないことを示すときに、
前記第２のノードとの前記第１の偏波での前記第２の指向性リンクを確立することと、
前記第２のノードとの前記第２の指向性リンクを確立してから前記データを前記第１の偏波での前記第２の指向性リンクを介して前記第２のノードに送信するまでの間に、前記第２のリンク情報を全方向にブロードキャストすることと、
前記第２のリンク情報を全方向にブロードキャストした後、前記データを前記第１の偏波での前記第２の指向性リンクを介して前記第２のノードに送信することと、をさらに含む請求項５に記載の方法。
【請求項７】
前記第２のリンク情報は、前記第１のノードの第１のＩＤ、前記第２のノードの第２のＩＤ、および前記第１の偏波での前記第２の指向性リンクのビジーステータスを含む請求項５に記載の方法。
【請求項８】
前記第２のノードが前記第３のノードと前記第１の偏波を使用する前記第１の指向性リンクを介して通信していて、前記第１のノードが前記第２の偏波での第３のリンクを介して通信することを望んでいるときに、
前記第１のノードが前記第２の偏波で前記第３のリンクを介して通信することを望んでいることを示す第３のリンク情報を全方向にブロードキャストすることをさらに含む請求項５に記載の方法。
【請求項９】
前記第２のノードが前記第３のノードと前記第１の偏波での前記第１の指向性リンクを介して通信していて、前記第１のノードが前記アドホックネットワーク内の第４のノードと通信することを望んでいるときに、
前記第４のノードが前記第２の偏波で第３のリンクを介して通信することを望んでいることを識別する、前記第４のノードによって全方向にブロードキャストされた第３のリンク情報を受信することと、
前記第４のノードとの前記第２の偏波での前記第３の指向性リンクを確立することと、
前記第４のノードとの前記第２の偏波での前記第３の指向性リンクを確立してから他のデータを前記第２の偏波での前記第３の指向性リンクを介して前記第４のノードに送信するまでの間に、第４のリンク情報を全方向にブロードキャストすることであって、前記第４のリンク情報は前記第１のノードが前記第４のノードと前記第２の偏波での前記第３の指向性リンクを介して通信していることを示す、ことと、
前記第４のリンク情報を全方向にブロードキャストした後、前記他のデータを前記第２の偏波での前記第３の指向性リンクを介して前記第４のノードに送信することと、をさらに含む請求項５に記載の方法。
【請求項１０】
前記第２のノードとの前記第１の偏波での前記第２の指向性リンクを確立することは、前記第２のノードと送信要求フレームおよび送信可フレームをやり取りすることを含む請求項５に記載の方法。
【請求項１１】
それぞれのリンク情報は、
前記第１の偏波で通信するための２つのノードのＩＤを含む第１の部分と、
前記第２の偏波で通信するための２つのノードのＩＤを含む第２の部分と、を含み、
前記リンク情報をブロードキャストするノードが、前記第１の偏波または前記第２の偏波で通信していないときに、前記対応する部分における前記ＩＤは前記ノードのものであり、
前記リンク情報をブロードキャストする前記ノードが、前記第１の偏波または前記第２の偏波で他のノードと通信しているときに、前記対応する部分における前記ＩＤは前記ノードと前記他のノードのものである請求項５に記載の方法。
【請求項１２】
前記第１の部分は、前記第１の偏波での通信のフリーまたはビジーステータスをさらに含み、
前記第２の部分は、前記第２の偏波での通信のフリーまたはビジーステータスを含み、
前記第１の部分における前記第１の偏波は、通信のための好ましい偏波である請求項１１に記載の方法。
【請求項１３】
第１のノードが前記第１のノードと少なくとも第２のノードとを含むアドホックネットワークに参加するための方法であって、
前記第１のノードが別のノードと第１の偏波での第１の指向性リンクを介して通信していることを示す第１のリンク情報を前記第１のノードが全方向にブロードキャストすることであって、前記第１のリンク情報が、前記第１のノードと別のノードとの間で前記第１の偏波での前記第１の指向性リンクを介して通信する持続時間を示すネットワークアロケーションベクトルを含む、ことと、
前記持続時間が経過するのを待ち、その後、前記第１のノードが前記第２のノードとの前記第１の偏波での前記第１の指向性リンクを確立することと、
前記第２のノードから前記第１の偏波での前記第１の指向性リンクを介してデータを受信してから、前記第２のノードに前記第１の偏波での前記第１の指向性リンクを介して肯定応答を送信するまでの間に、前記第１のノードが更新された第１のリンク情報を全方向にブロードキャストすることであって、前記更新されたリンク情報は前記第１のノードが前記第２のノードと前記第１の偏波での前記第１の指向性リンクを介して通信していることを示す、ことと、
前記更新された第１のリンク情報を全方向にブロードキャストした後、前記第１のノードが前記第２のノードに前記第１の偏波での前記第１の指向性リンクを介して前記肯定応答を送信することと、を含む方法。
【請求項１４】
前記更新された第１のリンク情報は、前記第１のノードと前記第２のノードとの間で前記第１の偏波での前記第１の指向性リンクを介して通信する持続時間を示すネットワークアロケーションベクトルを含む、請求項１３に記載の方法。
【請求項１５】
前記更新された第１のリンク情報は、前記第１の指向性リンクの前記第１の偏波を識別する、請求項１３に記載の方法。
【請求項１６】
前記第１のノードが前記第２のノードと前記第１の偏波での前記第１の指向性リンクを介して通信していて、第３のノードが前記第１のノードと前記第１の偏波に直交する第２の偏波での第２の指向性リンクを介して通信することを望んでいるときに、前記第１のノードは、
前記第３のノードとの前記第２の偏波での前記第２の指向性リンクを確立することと、
前記第３のノードとの前記第２の偏波での前記第２の指向性リンクを確立してから他のデータを前記第２の偏波での前記第２の指向性リンクを介して前記第３のノードに送信するまでの間に、第２のリンク情報を全方向にブロードキャストすることであって、前記第２のリンク情報は前記第１のノードが前記第３のノードと前記第２の偏波での前記第２の指向性リンクを介して通信していることを示す、ことと、
前記第２のリンク情報を全方向にブロードキャストした後、前記他のデータを前記第２の偏波での前記第２の指向性リンクを介して前記第２のノードに送信することと、をさらに含む、請求項１３に記載の方法。
【請求項１７】
前記第１のノードが前記第２のノードと前記第１の偏波での前記第１の指向性リンクを介して通信していて、第３のノードが前記第１のノードと前記第１の偏波に直交する第２の偏波での第２の指向性リンクを介して通信することを望んでいるときに、前記第１のノードは、
前記第３のノードとの前記第２の偏波での前記第２の指向性リンクを確立することと、
前記第３のノードから前記第２の偏波での前記第２の指向性リンクを介して他のデータを受信することと、
前記第３のノードから前記第２の偏波での前記第２の指向性リンクを介して前記他のデータを受信してから前記他のデータに対する他の肯定応答を前記第２の偏波での前記第２の指向性リンクを介して前記第３のノードに送信するまでの間に、第２のリンク情報を全方向にブロードキャストすることであって、前記第２のリンク情報は前記第１のノードが前記第２のノードと前記第１の偏波での前記第１の指向性リンクを介して通信していること、および前記第１のノードが前記第３のノードと前記第２の偏波での前記第２の指向性リンクを介して通信していることを示す、ことと、
前記第２のリンク情報を全方向にブロードキャストした後、前記他のデータに対する前記他の肯定応答を前記第２の偏波での前記第２の指向性リンクを介して前記第３のノードに送信することと、をさらに含む、請求項１５に記載の方法。
【請求項１８】
それぞれのリンク情報は、
前記第１の偏波で通信するための２つのノードのＩＤを含む第１の部分と、
前記第２の偏波で通信するための２つのノードのＩＤを含む第２の部分と、を含み、
前記リンク情報をブロードキャストするノードが、前記第１の偏波または前記第２の偏波で通信していないときに、前記対応する部分における前記ＩＤは前記ノードのものであり、
前記リンク情報をブロードキャストする前記ノードが、前記第１の偏波または前記第２の偏波で他のノードと通信しているときに、前記対応する部分における前記ＩＤは前記ノードと前記他のノードのものである、請求項１３に記載の方法。
【請求項１９】
前記第１の部分は、前記第１の偏波での通信のフリーまたはビジーステータスをさらに含み、
前記第２の部分は、前記第２の偏波での通信のフリーまたはビジーステータスをさらに含み、
前記第１の部分における前記第１の偏波は、通信のための好ましい偏波である、請求項１８に記載の方法。
【発明の詳細な説明】
【技術分野】
【０００１】
本願は、２０１１年１月７日に出願されたインド特許出願６０／ＣＨＥ／２０１１に基づく優先権を主張する。本開示は、一般的にネットワーキング技術に関するものであり、より具体的には、アドホックネットワークに関するものである。
【背景技術】
【０００２】
アドホックネットワークは、リンクによって接続された移動ノードの自己構成ネットワークである。ネットワーク内のノードは、任意の方向に独立して自由に移動することができ、他のノードへのリンクを頻繁に変更することができる。第１のノードが第２のノードとのリンクを確立しようとした場合、第１のノードは第１のメッセージを第２のノードに送信することができる。第２のノードは、第１のメッセージの受信確認のために、第１のメッセージに応答して、第２のメッセージを第１のノードに送り返すことができる。リンクは、第１のノードが第２のメッセージを受信した後に確立されうる。
【０００３】
しかし、第２のノードは、第２のノードがネットワーク内の第３のノードとすでに情報交換をしていると第１のメッセージに応答できない場合がある。第１のメッセージに応答しない障害が生じると、結果的に、ネットワークの効率が低下してしまう可能性がある。
【発明の概要】
【０００４】
本開示の一実施形態は、一般的に、第１のノードと少なくとも第２のノードおよび第３のノードとを含むアドホックネットワークに第１のノードが参加するための方法に関係するものとしてよい。この方法は、第２のノードによって全方向にブロードキャストされ、第２のノードが第３のノードと第１の偏波での第１の指向性リンクを介して通信しているかどうかを示す第１のリンク情報を受信することと、第２のノードとの第２の偏波での第２の指向性リンクを確立することとを含む。
【０００５】
本開示の別の実施形態は、一般的に、第１のノードと少なくとも第２のノードとを含むアドホックネットワークに第１のノードが参加するための方法に関係するものとしてよい。この方法は、第１のノードが第１のリンク情報を全方向にブロードキャストすることであって、リンク情報は第１のノードが別のノードと第１の偏波での第１の指向性リンクを介して通信していることを示す、ことと、第１のノードが第２のノードとの第１の偏波での第１の指向性リンクを確立することとを含む。この方法は、第２のノードから第１の偏波での第１の指向性リンクを介してデータを受信してから、第２のノードに第１の偏波での第１の指向性リンクを介して肯定応答を送信するまでの間に、第１のノードが更新された第１のリンク情報を全方向にブロードキャストすることであって、更新されたリンク情報は第１のノードが第２のノードと第１の偏波での第１の指向性リンクを介して通信していることを示す、ことと、更新された第１のリンク情報を全方向にブロードキャストした後、第１のノードが第２のノードに第１の偏波での第１の指向性リンクを介して肯定応答を送信することとをさらに含む。
【０００６】
前述の説明は、例示的なものにすぎず、いっさい制限することを意図されていない。上述の例示的な態様、実施形態、および特徴に加えて、図面を参照し、以下の詳細な説明を参照することによってさらなる態様、実施形態、および特徴も明らかになるであろう。
【図面の簡単な説明】
【０００７】
【図１】アドホックネットワークにおけるノードのアンテナハードウェアの例示的な実施形態を示す図である。
【図２Ａ】アドホックネットワークの例示的な一実施形態を示す図である。
【図２Ｂ】図２Ａに示されているアドホックネットワーク内のノード間の相互のやり取りの例示的な一実施形態を示す図である。
【図３Ａ】アドホックネットワークの例示的な一実施形態を示す図である。
【図３Ｂ】図３Ａに示されているアドホックネットワーク内のノード間の相互のやり取りの例示的な一実施形態を示す図である。
【図４Ａ】アドホックネットワークの例示的な一実施形態を示す図である。
【図４Ｂ】図４Ａに示されているアドホックネットワーク内のノード間の相互のやり取りの例示的な一実施形態を示す図である。
【発明を実施するための形態】
【０００８】
以下の詳細な説明では、詳細な説明の一部をなす、添付図面が参照される。図面中の類似の記号は、典型的には、文脈上別のものを示していない限り類似のコンポーネントを明示する。詳細な説明、図面、および請求項で説明されている例示的な実施形態は、制限することを意図されていない。他の実施形態も利用することができ、また本明細書に提示されている発明対象の精神または範囲から逸脱することなく、他の変更を加えることができる。本明細書で一般的に説明され、また図に例示されているような本開示の態様は、さまざまな異なる構成による配置、置換、組み合わせ、設計が可能であり、すべて明示的に考察され、本開示の一部をなすことが容易に理解されるであろう。
【０００９】
本開示は、就中、アドホックネットワークに関係する方法、装置、コンピュータプログラム、およびシステムに関するものである。
【００１０】
アドホックネットワークは、複数のノードを備えることができる。ネットワーク内のノードは、互いに情報をやり取りするように構成される。情報は、電磁波によって搬送されうる。
【００１１】
いくつかの実施形態では、アドホックネットワーク内のそれぞれのノードは、他のノードとのリンクに関する情報（「リンク情報」）をブロードキャストするように構成されうる。いくつかの実施形態では、それぞれのノードは、２つの直交偏波のうちの一方で別のノードへのリンクを確立するように構成されうる。いくつかの実施形態では、ブロードキャストは、一方の偏波において全方向に行われ、ノードとノードとの間のリンクは、いずれかの偏波において指向的である。
【００１２】
例えば、第１のノードは、別のノードとの指向性リンクを確立する前にリンク情報を全方向にブロードキャストすることを定期的に行う。リンク情報は、第１のノードがアイドル状態にあること、および第１のノードとの指向性リンクに対する所望の偏波を示す。第１のノードが、送信要求（ＲＴＳ）フレームおよび送信可（ＣＴＳ）フレームをやり取りすることなどによって第２のノードとの指向性リンクを確立した後、第１のノードは、データ（ＤＡＴＡ）フレームを第２のノードに送信する前にリンク情報を全方向にブロードキャストする。この場合、リンク情報は、第１のノードおよび第２のノードが指向性リンクを確率したことおよび該指向性リンクの偏波を示している。また、第２のノードは、データフレームに応答して肯定応答（ＡＣＫ）フレームを第１のノードに送信する前に自リンク情報を全方向にブロードキャストする。ＲＴＳ、ＣＴＳ、ＤＡＴＡ、およびＡＣＫフレームは、米国電気電子学会（ＩＥＥＥ）８０２．１１プロトコルの媒体アクセス制御（ＭＡＣ）メカニズムに適合する。
【００１３】
第３のノードが、後者のブロードキャストのいずれかを受信すると、第３のノードは、第１のノードおよび第２のノードが通信しているが、指向性リンクを妨げないことを知る。いくつかの実施形態では、リンク情報は、第１のノードおよび第２のノードがビジー状態を続けている可能性のある時間を第３のノードに通知するネットワークアロケーションベクトル（ＮＡＶ）情報をさらに含む。第３のノードが第１のノードとの通信を行うことを望んでいる場合、第３のノードは、第１のノードと第２のノードとの間の通信が完了するのを待つか、または別の偏波を使用して第１のノードとの指向性リンクを開始することができる。第３のノードが第１のノードもしくは第２のノードに近い第４のノードと通信することを望んでいる場合、第１のノードと第２のノードとの間の指向性リンクを妨げることなく他の偏波を使用して第４のノードとの指向性リンクを開始することができる。
【００１４】
図１は、アドホックネットワークにおけるノード１００のアンテナハードウェアの例示的な実施形態を示している。ノード１００は、全方向性アンテナ１０１および二重偏波指向性アンテナ１０３を備える。ノード１００は、全方向性アンテナ１０１と二重偏波指向性アンテナ１０３とを切り替えるように構成されている第１のスイッチ１０５をさらに備える。いくつかの実施形態では、第１のスイッチ１０５は、デフォルトで全方向性アンテナ１０１を選択するように構成される。第１のスイッチ１０５は、ノード１００がアドホックネットワーク内の１つまたは２つの他のノードと１つまたは２つの指向性リンクを確立することを望んでいる場合に二重偏波指向性アンテナ１０３を選択する。
【００１５】
ノード１００が、ブロードキャストメッセージを受信もしくは送信することを望んでいる場合、ノード１００は、第１のスイッチ１０５を使用して、全方向性アンテナ１０１にアクセスする。次いで、全方向性アンテナ１０１によってブロードキャストメッセージが受信もしくは送信される。いくつかの実施形態では、全方向性アンテナ１０１は、デフォルトの偏波（例えば、垂直偏波）を使用して、ブロードキャストメッセージを受信し、送信するように構成される。
【００１６】
ノード１００がアドホックネットワーク内の１つまたは２つの他のノードと１つまたは２つの指向性リンクを確立することを望んでいる場合、ノード１００は、第１のスイッチ１０５を使用して二重偏波指向性アンテナ１０３をアクセスする。二重偏波指向性アンテナ１０３は、ノード１００と他のノードとの間で指向性メッセージを送受信するように構成される。ノード１００と他のノードとの間でやり取りされるいくつかの例示的な情報は、限定はしないが、ＲＴＳ、ＣＴＳ、ＤＡＴＡ、およびＡＣＫフレームを含むものとしてよい。
【００１７】
二重偏波指向性アンテナ１０３は、アドホックネットワーク内の２つの他のノードとの２つの指向性リンクを確立するために２つの偏波（例えば、水平偏波および垂直偏波）を出す。ノード１００は、第２のスイッチ１０７および第３のスイッチ１０９をさらに備える。第２のスイッチ１０７は、ノード１００が第１の偏波（例えば、垂直偏波）を使用して別のノードとの第１の指向性リンクを確立するとき閉じられる。第３のスイッチ１０９は、ノード１００が第２の偏波（例えば、水平偏波）を使用してさらに別のノードとの第２の指向性リンクを確立するとき閉じられる。第２のスイッチ１０７および第３のスイッチ１０９は両方とも、ノード１００が第１の偏波および第２の偏波を同時に使用して２つの他のノードへの２つのリンクを確立するときに閉じられる。ノード１００は、アンテナハードウェアを使用して到来方向を推定することができる。
【００１８】
図２Ａは、アドホックネットワーク２００の例示的な一実施形態を示している。アドホックネットワーク２００は、第１のノード２０１、第２のノード２０３、および第３のノード２０５を備える。それぞれのノードは、図１のアンテナハードウェアを含む。それぞれのノードは、垂直偏波などの、１つの偏波で全方向にブロードキャストする。２つのノードは、垂直偏波などの１つの偏波をデフォルトで使用して指向性リンクを確立し、２つのノードは、該リンクを水平偏波などの別の偏波に切り替えることに合意することができる。
【００１９】
定期的に、別のノードと通信していないアイドル状態のノードは、そのリンク情報を全方向にブロードキャストするように構成される。リンク情報は、アドホックネットワーク内でルートを作成し、維持するために使用される、ビーコンもしくはｈｅｌｌｏパケットなどの、定期的ルーティング更新に抱き合わせされる。リンク情報は、第１のブロック内にアイドル状態のノードの識別コードを、第２のブロック内にアイドル状態のノードの同じ識別コードを備え、これらのコードはノードがアイドル状態であることを示す。リンク情報は、リンク情報の第３のブロック内にノードとの指向性リンクに対する所望の偏波も入れることができる。所望の偏波は、垂直偏波などの、デフォルト値を有することができ、アイドル状態のノードは、近くの指向性リンクとの干渉を避けるためにこれに切り替えることができる。
【００２０】
リンク情報から、一方のノードは別のノードへの指向性リンクを確立することができる。例えば、第１のノード２０１および第２のノード２０３は、指向性リンクを確立していると仮定する。指向性リンクを確立した後、第１のノード２０１は、データフレームを第２のノード２０３に送信する前に第１のリンク情報を全方向にブロードキャストし、第２のノード２０３は、データフレームに対するＡＣＫフレームを第１のノード２０１に送信する前に第２のリンク情報を全方向にブロードキャストする。第１のリンク情報は、第１のブロック内に第１のノード２０１の第１の識別コードを、第２のブロック内に第２のノード２０３の第２の識別コードを備える。また第１のリンク情報は、第３のブロック内にリンク偏波を入れることもできる。第３のノード２０５が第１のリンク情報を受信すると、第３のノード２０５は、第１のブロックおよび第２のブロック内の内容（例えば、第１の識別コードおよび第２の識別コード）を調べて第１のノード２０１および第２のノード２０３がビジー状態であることを知る。
【００２１】
図２Ｂは、図２Ａに示されているアドホックネットワーク２００内の第１のノード２０１、第２のノード２０３、および第３のノード２０５の相互のやり取りの例示的な一実施形態を示している。図２Ｂについて、図２Ａの助けを借りて説明する。第１のノード２０１は、ビーム形成二重偏波指向性アンテナを使用して、ＲＴＳフレーム２１１を垂直偏波で第２のノード２０３に送信する。これに応答して、第２のノード２０３は、自ビーム形成二重偏波指向性アンテナを使用して、ＣＴＳフレーム２１３を垂直偏波でノード２０１に送信する。この時点で、第１のノード２０１と第２のノード２０３との間で、指向性リンクが確立されている。第１のノード２０１がＣＴＳフレーム２１３を受信してから、第１のノード２０１がＤＡＴＡフレーム２１５を送信するまでの間に、第１のノード２０１は、その全方向性アンテナを使用して第１のリンク情報２１４を垂直偏波でブロードキャストする。これは、８０２．１１プロトコルのＭＡＣメカニズムにおいてＣＴＳフレームとＤＡＴＡフレームとの間で割り振られた時間内に実行される。第１のリンク情報２１４は、第３のノード２０５または他の付近のノードによって受信されうる。第３のノード２０５は、第１のリンク情報２１４を調べて、第１のノード２０１が第２のノード２０３との指向性リンクを確立していることを認識する。第１のリンク情報２１４を考慮して、第３のノード２０５は、垂直偏波を使用して第１のノード２０１または第２のノード２０３との指向性リンクを確立しえないことを認識する。第３のノード２０５は、水平偏波を使用して第１のノード２０１または第２のノード２０３との別の指向性リンクを確立するオプションを有することに留意されたい。
【００２２】
第１のノード２０１は、ビーム形成二重偏波指向性アンテナを使用して、ＤＡＴＡフレーム２１５を垂直偏波で第２のノード２０３に送信する。第２のノード２０３はその全方向性アンテナを使用して、第２のノード２０３が第１のノード２０１からＤＡＴＡフレーム２１５を受信してから第２のノード２０３がＡＣＫフレーム２１７を第１のノード２０１に送信するまでの間に垂直偏波で第２のリンク情報２１６をブロードキャストする。これは、８０２．１１プロトコルのＭＡＣメカニズムにおいてＤＡＴＡフレームとＡＣＫフレームとの間で割り振られた時間内に実行される。次いで、第２のノード２０３は、ビーム形成二重偏波指向性アンテナを使用して、ＡＣＫフレーム２１７を垂直偏波で第１のノード２０１に送信する。第２のリンク情報２１６は、第３のノード２０５または他の付近のノードによって受信されうる。上記のプロセスは、第１のノード２０１が第２のノード２０３に送信することを望んでいる追加のデータフレーム毎に繰り返される。
【００２３】
第３のノード２０５は、第２のリンク情報２１６を調べて、第２のノード２０３が第１のノード２０１との指向性リンクを確立していることを認識することができる。第２のリンク情報２１６を考慮して、第３のノード２０５は、垂直偏波を使用して第１のノード２０１または第２のノード２０３との指向性リンクを確立しえないことを認識する。
【００２４】
いくつかの実施形態では、第１のリンク情報２１４および第２のリンク情報２１６は、第１のノード２０１および第２のノード２０３がビジー状態を続けることになる持続時間を示すＮＡＶ情報をさらに含むことができる。第３のノード２０５は、この持続時間の経過後にＲＴＳフレームを第１のノード２０１または第２のノード２０３に送信することを試み、これにより垂直偏波を使用して第１のノード２０１または第２のノード２０３との指向性リンクを確立することを試みることができる。第３のノード２０５は、第１のノード２０１または第２のノード２０３がアイドル状態であることを示す更新されたリンク情報を第３のノード２０５が受信した後、垂直偏波を使用してＲＴＳフレームを第１のノード２０１または第２のノード２０３に送信することを試みることもできる。
【００２５】
ブロードキャストされるリンク情報を使用することで、アドホックネットワーク２００内のノードの電力を節約することができる。アドホックネットワーク２００内のノードは、ＲＴＳフレームを、別のノードと通信しているノードに送信せず、ＲＴＳフレームに関して何らかの形で消費される送信電力を節約することができる。
【００２６】
図３Ａは、アドホックネットワーク３００の例示的な一実施形態を示している。アドホックネットワーク３００は、第１のノード３０１、第２のノード３０３、および第３のノード３０５を備える。アドホックネットワーク３００は、アドホックネットワーク２００に類似している。それぞれのノードは、垂直偏波などの、１つの偏波で全方向にその自リンク情報をブロードキャストする。２つのノードが、リンク情報に基づき指向性のリンクを確立する。いくつかの実施形態では、リンク情報は８個のブロックを含む。最初の４つのブロック（つまり、リンク情報の第１のブロックから第４のブロックまで）は、第１の偏波（例えば、垂直偏波）に対するリンク情報を表す。最後の４つのブロック（つまり、リンク情報の第５のブロックから第８のブロックまで）は、第２の偏波（例えば、水平偏波）に対するリンク情報を表す。
【００２７】
第１のブロックは、ノードの識別コードを格納し、第２のブロックは、ノードとの第１の指向性リンクが利用可能である場合に同じ識別コードを格納する。第３のブロックは、第１の偏波がノードとの第１の指向性リンクを確立するために利用可能であることを示す。第４のブロックは、第１の指向性リンクに対するＮＡＶ情報を格納し、第１の指向性リンクが利用可能である場合にゼロである。第５のブロックは、ノードの識別コードを格納し、第６のブロックは、ノードとの第２の指向性リンクが利用可能である場合に同じ識別コードを格納する。第７のブロックは、第２の偏波が第２の指向性リンクを確立するために利用可能であることを示す。第８のブロックは、第２の指向性リンクに対するＮＡＶ情報を格納し、第２の指向性リンクが利用可能である場合にゼロである。例えば、リンク情報は、（１，１，ｖＦ，ＮＡＶ；１，１，ｈＦ，ＮＡＶ）として現れるものとしてよく、ｖＦは垂直偏波が自由であることを示し、ｈＦは水平偏波が自由であることを示す。
【００２８】
第１のノードが第１の偏波で第１の指向性リンクを使用して第２のノードと通信している場合、第１のブロックは、第１のノードの識別コードを格納し、第２のブロックは、第２のノードの識別コードを格納する。第３のブロックは、第１の偏波が第１のリンクを確立するために利用可能でないことを示す。第４のブロックは、第１の偏波で第１の指向性リンクを使用する第１のノードと第２のノードとの間の通信の持続時間を示すＮＡＶ情報を格納する。第５のブロックから第８のブロックまでは、前の段落と同じである。例えば、リンク情報は、（１，２，ｖＢ，ＮＡＶ；１，１，ｈＦ，ＮＡＶ）として現れるものとしてよく、ｖＢは垂直偏波がビジーであることを示す。
【００２９】
第１のノードが第１の偏波で第１の指向性リンクにより第２のノードと通信しており、第１のノードが第２の偏波で第２の指向性リンクにより第３のノードと通信している場合、第１のブロックから第４のブロックまでは、前の段落と同じである。第５のブロックは、第１のノードの識別コードを格納し、第６のブロックは、第３のノードの識別コードを格納する。第７のブロックは、第２の偏波が第２の指向性リンクを確立するために利用可能でないことを示す。第８のブロックは、第２の偏波で第２の指向性リンクを使用する第１のノードと第３のノードとの間の通信の持続時間を示すＮＡＶ情報を格納する。例えば、リンク情報は、（１，２，ｖＢ，ＮＡＶ；１，３，ｈＢ，ＮＡＶ）として現れるものとしてよく、ｈＢは水平偏波がビジーであることを示す。
【００３０】
図３Ｂは、図３Ａに示されているアドホックネットワーク内のノード間の相互のやり取りの例示的な一実施形態を示す。図３Ｂについて、図３Ａの助けを借りて説明する。図３Ｂにおいて、第１のノード３０１および第２のノード３０３は、通信のため垂直偏波で指向性リンクを確立している一方、第３のノード３０５は、水平偏波で第１のノード３０１との別の指向性リンクを確立しようとしている。
【００３１】
第１のノード３０１と第２のノード３０３との間の指向性リンクを確立するために、第１のノード３０１は、ビーム形成二重偏波指向性アンテナを使用して、ＲＴＳフレーム３１１を垂直偏波で第２のノード３０３に送信する。ＲＴＳフレーム３１１に応答して、第２のノード３０３は、そのビーム形成二重偏波指向性アンテナを使用して、ＣＴＳフレーム３１３を垂直偏波で第１のノード３０１に送信することができる。
【００３２】
第１のノード３０１がＣＴＳフレーム３１３を受信してからＤＡＴＡフレーム３１５を送信するまでの間に、第１のノード３０１は、その全方向性アンテナを使用して第１のリンク情報３１４を垂直偏波でブロードキャストする。第１のリンク情報３１４は、第１のノード３０１がその二重偏波指向性アンテナの垂直偏波で第２のノード３０３との指向性リンクを確立しており、第１のノード３０１はその二重偏波指向性アンテナの水平偏波で別のノードとの指向性リンクを確立することができることを示す。第１のリンク情報３１４は、（１，２，ｖＢ，ＮＡＶ；１，１，ｈＦ，ＮＡＶ）として現れるものとしてよい。次いで、第１のノード３０１は、ビーム形成二重偏波指向性アンテナを使用して、ＤＡＴＡフレーム３１５を垂直偏波で第２のノード３０３に送信する。
【００３３】
第２のノード３０３が第１のノード３０１からＤＡＴＡフレーム３１５を受信してからＡＣＫフレーム３１７を第１のノード２０１に送信するまでの間に、第２のノード３０３は、その全方向性アンテナを使用して第２のリンク情報３１６を垂直偏波でブロードキャストする。第２のリンク情報３１６は、第２のノード３０３がその二重偏波指向性アンテナの垂直偏波で第１のノード３０１との指向性リンクを確立しており、第２のノード３０３はその二重偏波指向性アンテナの水平偏波で別のノードとの指向性リンクを確立することができることを示す。第２のリンク情報３１６は、（２，１，ｖＢ，ＮＡＶ；２，２，ｈＦ，ＮＡＶ）として現れるものとしてよい。次いで、第２のノード３０３は、ビーム形成二重偏波指向性アンテナを使用して、ＡＣＫフレーム３１７を垂直偏波で第１のノード３０１に送信する。
【００３４】
第１のリンク情報３１４は第３のノード３０５によって受信されることができ、これにより第３のノード３０５は、第１のノード３０１が垂直偏波で第２のノード３０３との指向性リンクを確立しており、第１のノード３０１が水平偏波で別のノードとの指向性リンクを確立することができることを認識する。第３のノード３０５が第１のノード３０１との指向性リンクを確立することを望んでいる場合、第３のノード３０５は、ビーム形成二重偏波指向性アンテナを使用して、ＲＴＳフレーム３２１を水平偏波で第１のノード３０１に送信する。ＲＴＳフレーム３２１で、第３のノード３０５が水平偏波を使用してデータを送信することが可能な状態にあることを第１のノード３０１に知らせる。第１のノード３０１は、そのビーム形成二重偏波指向性アンテナを使用して水平偏波でＣＴＳフレームを第３のノード３０５に送信する。このように、第１のノード３０１は、第２のノード３０３および第３のノード３０５といかなる干渉を起こすこともなく同時に通信するために、二重偏波指向性アンテナの垂直偏波と水平偏波の両方を使用している。第３のノード３０５は、第１のノード３０１からＣＴＳフレーム３２３を受信し、ＤＡＴＡフレーム（図示せず）を第１のノード３０１に送信し、第１のノード３０１からＡＣＫフレーム（図示せず）を受信することを、すべて水平偏波で行う。第３のノード３０５は、ＡＣＫフレームを送信した後に垂直偏波でのデフォルトの構成に戻り、第１のノード３０１も、ＡＣＫフレームを受信した後に垂直偏波でのデフォルトの構成に戻る。第１のノード３０１と第３のノード３０５は両方とも、上で説明されているようにリンク情報を全方向にブロードキャストする。上で説明されているように第３のノード３０５が第１のノード３０１との指向性リンクを開始する代わりに、第１のノード３０１が、第３のノード３０５との指向性リンクを開始することができる。
【００３５】
２つの異なる偏波を使用することで、スペクトル帯域幅を加えなくても、アドホックネットワーク３００の容量を拡大することができる。これら２つの偏波は同じスペクトル帯域幅で使用することができるが、それは、垂直偏波と水平偏波の結合が弱いからである。垂直偏波で送信される情報と水平偏波で送信される情報は互いに干渉し合わない。したがって、アドホックネットワーク３００内のノードは、他の２つのノードと同時に通信することができる。単一の偏波を使用して情報をやり取りするネットワークと比べて、アドホックネットワーク３００では同時により多くのリンクを確立することができるため、アドホックネットワーク３００の容量を増大させることができる。
【００３６】
第１のノード３０１と第２のノード３０３との間の通信、および第１のノード３０１と第３のノード３０５との間の通信は互いに独立しているため、ブロードキャストが同時に送信される確率、および隣接ノードから全方向性アンテナの垂直偏波を使用して送信されるブロードキャスト同士の間に干渉を起こす確率は非常に低い。また、ブロードキャストフレームは、非常に小さく、ノードからの特定のブロードキャストは、非常に短い時間の間、ネットワーク内に留まる。
【００３７】
ブロードキャストは、持続時間が短いだけでなく、離散的であり、定期的に発生する。上記を考慮すると、仮説的にさまざまな隣接ノードからのブロードキャストの間に干渉があるとしても、長時間にわたってネットワークに悪影響を及ぼし続けることはない。
【００３８】
図４Ａは、アドホックネットワーク４００の例示的な一実施形態を示している。アドホックネットワーク４００は、第１のノード４０１、第２のノード４０３、第３のノード４０５、および第４のノード４０７を備えることができる。アドホックネットワーク４００は、アドホックネットワーク２００に類似している。それぞれのノードは、垂直偏波などの、１つの偏波で全方向にブロードキャストする。２つのノードは、垂直偏波などの、１つの偏波をデフォルトで使用して指向性リンクを確立する。他の２つのノードは、垂直偏波での指向性リンクとの干渉を回避するために、水平偏波などの別の偏波を使用してリンクを確立することができる。それぞれのノードは、上で説明されている方法でリンク情報をブロードキャストする。いくつかの実施形態では、第３のノードは第４のノードとの指向性リンクを、第３のノードと第４のノードとに近い他のノードによって使用されていない偏波を使用して確立する。第１のノード４０１および第２のノード４０３は、垂直偏波で指向性リンクを確立しており、第１のリンク情報および第２のリンク情報をそれぞれ全方向にブロードキャストする。第３のノード４０５は、第１のリンク情報および第２のリンク情報の一方または両方を受信する。第１のノード４０１と第２のノード４０３との間の垂直偏波での指向性リンクとの干渉を回避するために、第３のノード４０５は、水平偏波で別のノード（例えば、第４のノード４０７）との接続を確立することを望む。次いで、第３のノード４０５は、水平偏波で通信することを望んでいることを示す第３のリンク情報を全方向にブロードキャストする。第４のノード４０７は、第３のリンク情報を受信する。第３のリンク情報に応答して、第４のノード４０７は、水平偏波で、第３のノード４０５との指向性リンクを確立する要求を送信する。
【００３９】
図４Ｂは、図４Ａに示されているアドホックネットワーク内のノード間の相互のやり取りの例示的な一実施形態を示す。図４Ｂについて、図４Ａの助けを借りて説明する。いくつかの実施形態では、開始時には、すべてのノードはアイドル状態にあり、全方向性アンテナを使用してそれらのリンク情報をブロードキャストする。第１のノード４０１および第２のノード４０３は、最初に、垂直偏波を使用して指向性リンクを確立する。上で同様に説明されているように、ＲＴＳフレーム４１１、ＣＴＳフレーム４１３、ＤＡＴＡフレーム４１５、およびＡＣＫフレーム４１７は、ビーム形成二重偏波指向性アンテナを用いて第１のノード４０１と第２のノード４０３との間で垂直偏波を使用してやり取りすることができる。
【００４０】
また第１のノード４０１および第２のノード４０３は、全方向性アンテナを使用して第１のリンク情報４１４および第２のリンク情報４１６をそれぞれブロードキャストする。第１のリンク情報４１４および第２のリンク情報４１６は、第３のノード４０５および第４のノード４０７によって受信されうる。したがって、第３のノード４０５および第４のノード４０７は、第１のノード４０１および第２のノード４０３が垂直偏波で通信していることを認識する。次いで、第３のノード４０５は、全方向性アンテナを使用し、垂直偏波を使用して第３のリンク情報４２５をブロードキャストする。第３のリンク情報は８個のブロックを含みうる。前のリンク情報と異なり、最初の４つのブロックは、現在、水平偏波に対するリンク情報を表し、最後の４つのブロックは、垂直偏波に対するリンク情報を表す。水平偏波に対するリンク情報を垂直偏波に対するリンク情報の前に置くと、第３のノード４０５は水平偏波で通信することを好むことを示すことになる。第３のリンク情報４２５は、（３，３，ｈＦ，ＮＡＶ；３，３，ｖＦ，ＮＡＶ）として現れるものとしてよい。
【００４１】
第３のリンク情報４２５は、第４のノード４０７によって受信されうる。次いで、第４のノードは、第３のノード４０５が水平偏波を使用して指向性リンクを設定することを望んでいることを認識する。次いで、第４のノード４０７は、デフォルトの構成を変更し、ビーム形成二重偏波指向性アンテナを使用して、ＲＴＳフレーム４３１を水平偏波を使用して第３のノード４０５に送信する。
【００４２】
ＲＴＳフレーム４３１で、第４のノード４０７が水平偏波でデータを送信することが可能な状態にあることを第３のノード４０５に知らせる。ＲＴＳフレーム４３１に応答して、第３のノード４０５も、そのデフォルト構成を変更し、そのビーム形成二重偏波指向性アンテナを使用して、ＣＴＳフレーム４３３を水平偏波で第４のノード４０７に送信する。次いで、第３のノード４０５および第４のノード４０７は、水平偏波でＤＡＴＡフレーム４３５およびＡＣＫフレーム４３７をやり取りする。第４のノード４０７は、ＡＣＫフレームを送信した後に垂直偏波でのデフォルトの構成に戻り、第３のノード４０５も、ＡＣＫフレームを受信した後に垂直偏波でのデフォルトの構成に戻る。第４のノード４０７は、第３のノード４０５からＣＴＳフレーム４３３を受信してからＤＡＴＡフレーム４３５を第３のノード４０５に送信するまでの間にその全方向性アンテナを使用して第４のリンク情報４３４をブロードキャストする。
【００４３】
第４のリンク情報４３４は、第４のノード４０７が、第３のノード４０５との水平偏波を使用した指向性リンクを確立していることを示す。第４のリンク情報４３４は、（４，４，ｈＢ，ＮＡＶ；４，４，ｖＦ，ＮＡＶ）として現れるものとしてよい。第３のノード４０５は、第４のノード４０７からＤＡＴＡフレーム４３５を受信してからＡＣＫフレーム４３７を第４のノード４０７に送信するまでの間にその全方向性アンテナを使用して第５のリンク情報４３６をブロードキャストする。第５のリンク情報４３６は、第３のノード４０５が、第４のノード４０７との水平偏波での指向性リンクを確立していることを示す。第５のリンク情報４３６は、（３，４，ｈＢ，ＮＡＶ；３，３，ｖＦ，ＮＡＶ）として現れるものとしてよい。
【００４４】
システムの側面でのハードウェアの実装形態とソフトウェアの実装形態との間には、ほとんど相違が残されていない。ハードウェアまたはソフトウェアの使用は、一般に（いつもそうではないが、ある状況ではハードウェアとソフトウェアの間の選択が重要になり得るという点で）コスト対効果のトレードオフを表す設計上の選択である。本明細書に記載された、プロセスおよび／またはシステムおよび／または他の技術をもたらすことができるさまざまな達成手段があり（例えば、ハードウェア、ソフトウェア、および／またはファームウェア）、好ましい達成手段は、プロセスおよび／またはシステムおよび／または他の技術が導入される状況によって異なる。例えば、実装者が速度と正確性が最も重要であると決定すると、実装者は主にハードウェアおよび／またはファームウェアの達成手段を選択することができる。フレキシビリティが最も重要なら、実装者は主にソフトウェアの実装形態を選択することができる。または、さらに別の代替案として、実装者は、ハードウェア、ソフトウェア、および／またはファームウェアのなんらかの組み合わせを選択することができる。
【００４５】
前述の詳細な説明では、ブロック図、フローチャート、および／または例の使用によって、装置および／またはプロセスのさまざまな実施形態を説明してきた。そのようなブロック図、フローチャート、および／または例が１つまたは複数の機能および／または動作を含む限りにおいて、そのようなブロック図、フローチャート、または例の中のそれぞれの機能および／または動作は、広範囲のハードウェア、ソフトウェア、ファームウェア、または実質上それらのすべての組み合わせにより、個別におよび／または集合的に実装可能であることが、当業者には理解されるであろう。ある実施形態では、本明細書に記載された主題のいくつかの部分は、特定用途向け集積回路（ＡＳＩＣ）、フィールドプログラマブルゲートアレイ（ＦＰＧＡ）、デジタルシグナルプロセッサ（ＤＳＰ）、または他の集積化方式によって実装することができる。しかし、本明細書で開示された実施形態のいくつかの態様が、全体においてまたは一部において、１つまたは複数のコンピュータ上で動作する１つまたは複数のコンピュータプログラムとして（例えば、１つまたは複数のコンピュータシステム上で動作する１つまたは複数のプログラムとして）、１つまたは複数のプロセッサ上で動作する１つまたは複数のプログラムとして（例えば、１つまたは複数のマイクロプロセッサ上で動作する１つまたは複数のプログラムとして）、ファームウェアとして、あるいは実質上それらの任意の組み合わせとして、等価に集積回路に実装することができることを、当業者は認識するであろうし、電気回路の設計ならびに／またはソフトウェアおよび／もしくはファームウェアのコーディングが、本開示に照らして十分当業者の技能の範囲内であることを、当業者は認識するであろう。さらに、本明細書に記載された主題のメカニズムをさまざまな形式のプログラム製品として配布することができることを、当業者は理解するであろうし、本明細書に記載された主題の例示的な実施形態が、実際に配布を実行するために使用される信号伝達媒体の特定のタイプにかかわらず適用されることを、当業者は理解するであろう。信号伝達媒体の例には、フロッピー（登録商標）ディスク、ハードディスクドライブ、コンパクトディスク（ＣＤ）、デジタル多用途ディスク（ＤＶＤ）、デジタルテープ、コンピュータメモリ、などの記録可能なタイプの媒体、ならびに、デジタル通信媒体および／またはアナログ通信媒体（例えば、光ファイバケーブル、導波管、有線通信リンク、無線通信リンクなど）の通信タイプの媒体が含まれるが、それらには限定されない。
【００４６】
本明細書で説明したやり方で装置および／またはプロセスを記載し、その後そのように記載された装置および／またはプロセスを、データ処理システムに統合するためにエンジニアリング方式を使用することは、当技術分野で一般的であることを当業者は認識するであろう。すなわち、本明細書に記載された装置および／またはプロセスの少なくとも一部を、妥当な数の実験によってデータ処理システムに統合することができる。通常のデータ処理システムは、一般に、システムユニットハウジング、ビデオディスプレイ装置、揮発性メモリおよび不揮発性メモリなどのメモリ、マイクロプロセッサおよびデジタル信号プロセッサなどのプロセッサ、オペレーティングシステムなどの計算実体、ドライバ、グラフィカルユーザインタフェース、およびアプリケーションプログラムのうちの１つもしくは複数、タッチパッドもしくはスクリーンなどの１つもしくは複数の相互作用装置、ならびに／またはフィードバックループおよびコントロールモータを含むコントロールシステム（例えば、位置検知用および／もしくは速度検知用フィードバック、コンポーネントの移動用および／もしくは数量の調整用コントロールモータ）を含むことを、当業者は理解するであろう。通常のデータ処理システムは、データコンピューティング／通信システムおよび／またはネットワークコンピューティング／通信システムの中に通常見られるコンポーネントなどの、市販の適切なコンポーネントを利用して実装することができる。
【００４７】
本明細書に記載された主題は、さまざまなコンポーネントをしばしば例示しており、これらのコンポーネントは、他のさまざまなコンポーネントに包含されるか、または他のさまざまなコンポーネントに接続される。そのように図示されたアーキテクチャは、単に例示にすぎず、実際には、同じ機能を実現する多くの他のアーキテクチャが実装可能であることが理解されよう。概念的な意味で、同じ機能を実現するコンポーネントの任意の構成は、所望の機能が実現されるように効果的に「関連付け」される。したがって、特定の機能を実現するために組み合わされた、本明細書における任意の２つのコンポーネントは、アーキテクチャまたは中間のコンポーネントにかかわらず、所望の機能が実現されるように、お互いに「関連付け」されていると見ることができる。同様に、そのように関連付けされた任意の２つのコンポーネントは、所望の機能を実現するために、互いに「動作可能に接続」または「動作可能に結合」されていると見なすこともでき、そのように関連付け可能な任意の２つのコンポーネントは、所望の機能を実現するために、互いに「動作可能に結合できる」と見なすこともできる。動作可能に結合できる場合の具体例には、物理的にかみ合わせ可能な、および／もしくは物理的に相互作用するコンポーネント、ならびに／またはワイヤレスに相互作用可能な、および／もしくはワイヤレスに相互作用するコンポーネント、ならびに／または論理的に相互作用する、および／もしくは論理的に相互作用可能なコンポーネントが含まれるが、それらに限定されない。
【００４８】
本明細書における実質的にすべての複数形および／または単数形の用語の使用に対して、当業者は、状況および／または用途に適切なように、複数形から単数形に、および／または単数形から複数形に変換することができる。さまざまな単数形／複数形の置き換えは、理解しやすいように、本明細書で明確に説明することができる。
【００４９】
通常、本明細書において、特に添付の特許請求の範囲（例えば、添付の特許請求の範囲の本体部）において使用される用語は、全体を通じて「オープンな（ｏｐｅｎ）」用語として意図されていることが、当業者には理解されよう（例えば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。例えば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む開示に限定する、ということを示唆していると解釈されるべきではない（例えば、「ａ」および／または「ａｎ」は、通常、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、通常、少なくとも記載された数を意味すると解釈されるべきであることが、当業者には理解されよう（例えば、他の修飾語なしでの「２つの記載（ｔｗｏ  ｒｅｃｉｔａｔｉｏｎｓ）」の単なる記載は、通常、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（例えば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（例えば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステ���を含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。例えば、句「ＡまたはＢ」は、「Ａ」または「Ｂ」あるいは「ＡおよびＢ」の可能性を含むことが理解されよう。
【００５０】
本明細書ではさまざまな態様および実施形態が開示されているが、他の態様および実施形態も当業者には明らかであろう。本明細書で開示されているさまざまな態様および実施形態は、例示することを目的としており、制限することを意図しておらず、真の範囲および精神は以下の請求項によって示される。
【図１】
0005687773.tif 000002
【図２Ａ】
0005687773.tif 000003
【図２Ｂ】
0005687773.tif 000004
【図３Ａ】
0005687773.tif 000005
【図３Ｂ】
0005687773.tif 000006
【図４Ａ】
0005687773.tif 000007
【図４Ｂ】
0005687773.tif 000008